(57)【要約】【課題】大型テーブルにおいて中間支持脚体を省略できる構造として、天板のレベルだしを容易にするとともに、着座位置を制限せず、外観上の設計自由度を高め得るテーブルを提供する。【解決手段】天板２と、その天板２を主として支持する主フレーム３と、前記主フレーム３をその両端部において支持する脚体４とを備えたものであって、天板２等による荷重の作用しない又は略作用しない荷重非作用状態において、前記主フレーム３における天板支持面３ａの中央部がその両端部よりも上方に膨出する膨出態様Ｐとなり、少なくとも天板２を支持する荷重作用状態において、その荷重による主フレーム３の撓みにより前記天板支持面３ａが面一又は略面一である面一態様Ｑとなるように構成した。【選択図】図４
2004147689.tif 000002
【特許請求の範囲】
【請求項１】
天板と、その天板を主として支持する主フレームと、前記主フレームをその両端部において支持する脚体とを備えたものであって、
天板等による荷重の作用しない又は略作用しない荷重非作用状態において、前記主フレームにおける天板支持面の中央部がその両端部よりも上方に膨出する膨出態様となり、少なくとも天板を支持する荷重作用状態において、その荷重による主フレームの撓みにより前記天板支持面が面一又は略面一である面一態様となるように構成していることを特徴とするテーブル。
【請求項２】
前記主フレームが前記天板の長手方向に沿って設けられている請求項１記載のテーブル。
【請求項３】
前記主フレームが、複数の直線状をなす主フレーム要素を長手方向に直列連結したものであり、隣り合う主フレーム要素間の連結部において屈曲し、前記膨出態様となるようにしている請求項１又は２記載のテーブル。
【請求項４】
前記主フレームが、予め部分円弧状に湾曲した主フレーム要素からなるものであり、それ自体で前記膨出態様となるようにしている請求項１又は２記載のテーブル。
【請求項５】
主フレームが、予め部分円弧状に湾曲した複数の主フレーム要素を長手方向に直列連結したものであり、複数の主フレーム要素にわたって前記膨出態様となるようにしている請求項４記載のテーブル。
【請求項６】
前記天板が、各主フレーム要素に対応させて複数の天板要素を並べ設けてなるものであり、主フレーム要素及び天板要素の数を増減させて長さ寸法を変更可能に構成している請求項３又は５記載のテーブル。
【請求項７】
前記連結部において、隣り合う主フレーム要素同士を連結部材を介して連結するものであって、前記連結部材が互いに背向し下方に向かうにつれ相寄る向きにやや傾斜する一対の当たり面を備えてなり、その当たり面に前記主フレーム要素の端面を押圧させて当該主フレーム要素を結合させるものである請求項３、５又は６記載のテーブル。
【請求項８】
前記主フレーム要素がパイプ部材であるとともに、前記連結部材が、前記主フレーム要素に断面輪郭形状が合致するパイプ状の外材と、その外材の各端面から外方に突出する内材とを備え、前記外材の各端面を前記当たり面としたものであり、前記内材の突出部分を主フレーム要素の端部に嵌め入れて、主フレーム要素と連結部材とを結合するようにしている請求項７記載のテーブル。
【請求項９】
前記当たり面を挟んで対向する主フレーム要素側の所定箇所と連結部材側の所定箇所とを引寄手段によって引寄せ、前記主フレーム要素の端面と前記連結部材の当たり面とを押圧結合するものであって、
前記各所定箇所を結んだラインが側面視前記当たり面と直交しないように設定し、引寄力により当たり面と端面とをスライドさせる分力が発生するようにしておき、そのスライド力により前記内材の外周面と前記主フレーム要素の内周面とが密接し、前記主フレーム要素と連結部材との位置決め作用が営まれるように構成している請求項８記載のテーブル。
【請求項１０】
天板の長手方向と直交する方向に延び、該天板の下面に直接的に取り付けられる複数の補助フレームをさらに備えたものであり、前記主フレームを前記補助フレームの下面に取り付けるように構成している請求項１、２、３、４、５、６、７，８又は９記載のテーブル。
【発明の詳細な説明】
【０００１】
【発明の属する技術分野】
本発明は、天板をフレーム及び脚体からなる構造体に支持させてなるテーブルに関するものである。
【０００２】
【従来の技術】
従来、連結式のものなど大型のテーブルにおいては、天板の自重によりフレーム及び天板が撓むため、特許文献１に示すように、中間に支持脚体を設けてその撓みを防止するようにしている。
【０００３】
【特許文献１】
特公平７−７３５４９号公報
【０００４】
【発明が解決しようとする課題】
しかしながら、脚体が多くなると、床の不陸が大きいときなどにアジャスタ設定が非常に面倒なものとなり天板のレベルだしをすることが難しい。また、中間支持脚体により着座位置が制限されるうえ、外観上もすっきりしないものとなる。
【０００５】
そこで本発明は、大型テーブルにおいて耐荷重性を損なうことなく中間支持脚体を省略できる構造として、天板のレベルだしを容易にするとともに、着座位置を制限せず、外観上の設計自由度を高め得るテーブルを提供することをその主たる課題とするものである。
【０００６】
【課題を解決するための手段】
すなわち、本発明に係るテーブルは、天板と、その天板を主として支持する主フレームと、前記主フレームをその両端部において支持する脚体とを備えたものであって、天板等による荷重の作用しない又は略作用しない荷重非作用状態において、前記主フレームにおける天板支持面の中央部がその両端部よりも上方に膨出する膨出態様となり、少なくとも天板を支持する荷重作用状態において、その荷重による主フレームの撓みにより前記天板支持面が面一又は略面一である面一態様となるように構成していることを特徴とする。
【０００７】
このようなものであれば、主フレームが膨出態様から天板の荷重を受けることによって面一態様となるので、中間支持脚体を設けずとも、あるいは中間支持脚体を最小限のものとして、耐荷重性を損なうことなく大型のテーブルを構成できる。したがって脚体に設けるアジャスタを最小限にでき、床の不陸が存在しても天板のレベルだしが容易となる。また、着座位置を制限せず、外観上の設計自由度も高め得る。
【０００８】
本発明の効果が特に顕著となる具体的実施態様としては、前記主フレームが前記天板の長手方向に沿って設けられているものが好ましい
主フレームの膨出態様を容易に実現するには、前記主フレームが、複数の直線状をなす主フレーム要素を長手方向に直列連結したものであり、隣り合う主フレーム要素間の連結部において屈曲させ、前記膨出態様となるようにしているものが好ましい。
【０００９】
勿論、前記主フレームは、予め部分円弧状に湾曲した主フレーム要素を採用して、それ自体で前記膨出態様となるようにしてもよく、これらの主フレーム要素を複数用いて長手方向に直列連結し、複数の主フレーム要素にわたって前記膨出態様となるようにすることもできる。
【００１０】
フリーアドレスデスクなどにも適用できるようにするには、前記天板が、各主フレーム要素に対応させて複数の天板要素を並べ設けてなるものであり、主フレーム要素及び天板要素の数を増減させて長さ寸法を変更可能に構成しているものが望ましい。
【００１１】
主フレーム要素間の結合強度を無理なく向上させ、なおかつその連結部で屈曲させるような好ましい態様としては、前記連結部が隣り合う主フレーム要素同士を連結部材を介して連結するものであり、前記連結部材が互いに背向し下方に向かうにつれ相寄る向きにやや傾斜する一対の当たり面を備えてなり、その当たり面に前記主フレーム要素の端面を押圧させて当該主フレーム要素を結合させるものを挙げることができる。
【００１２】
連結部材と主フレーム要素との結合において長手方向に直交する方向に対する位置決めを行い得るようにするには、前記主フレーム要素がパイプ部材であるとともに、前記連結部材が、前記主フレーム要素に断面輪郭形状が合致するパイプ状の外材と、その外材の各端面から外方に突出する内材とを備え、前記外材の各端面を前記当たり面としたものであり、前記内材の突出部分を主フレーム要素の端部に嵌め入れて、主フレーム要素と連結部材とを結合するようにしているものが好ましい。
【００１３】
結合とともに前記位置決めが確実に行われるようにするための具体的態様としては、前記当たり面を挟んで対向する主フレーム要素側の所定箇所と連結部材側の所定箇所とを引寄構造によって引寄せ、前記主フレーム要素の端面と前記連結部材の当たり面とを押圧結合するものであって、前記各所定箇所を結んだラインが側面視前記当たり面と直交しないように設定し、引寄力により当たり面と端面とをスライドさせる分力が発生するようにしておき、そのスライド力により前記内材の外周面と前記主フレーム要素の内周面とが密接し、前記主フレーム要素と連結部材との位置決め作用が営まれるように構成しているものを挙げることができる。
【００１４】
天板支持のための好適な実施態様としては、天板の長手方向と直交する方向に延び、該天板の下面に直接的に取り付けられる複数の補助フレームをさらに備えたものであり、前記主フレームを前記補助フレームの下面に取り付けるように構成しているものを挙げることができる。
【００１５】
【発明の実施の形態】
以下、本発明の一実施形態について図面を参照して説明する。
【００１６】
本実施形態に係るテーブル１は、図１等に示すように、天板２と、その天板２を主として支持する主フレーム３と、前記主フレーム３をその両端部において支持する脚体４とを備えたものである。
【００１７】
天板２は、図１〜図３に示すように、矩形板状をなす一対の天板要素２１を奥行き方向に突合せ、これを天板要素２１の長手方向に沿って複数並べ設けて形成されるものである。各天板要素２１には、剛性を向上させるべく、その下面にサイドフレーム２２及び補助フレーム２３が取り付けられる。サイドフレーム２２は、天板要素２１の一方の長辺に沿ってそこから一定距離内方に設けられた角パイプ状をなすものである。補助フレーム２３は、前記各サイドフレーム２２間に複数（本実施形態では３本）配置され、各天板要素２１の長手方向と直交する方向に延びて一対の天板要素２１の間を連結する角パイプ状をなすものである。
【００１８】
主フレーム３は、天板２の長手方向に沿って伸びるもので、縦長角パイプ状をなす主フレーム要素３１を複数本、直列に連結してなるものである。本実施形態でこの主フレーム３は、互いに突き合う一対の天板要素２１の境界近傍にそれぞれ１本づつが、全体として見れば天板２の中央に複数本（２本）が並列させて設けてある。また主フレーム３間には、剛性向上及び離間距離設定のためのスペーサフレーム３２が所要箇所に間欠的に取り付けてある。前記主フレーム要素３１は、前記天板要素２１の長手寸法と略同一長さのもので、各天板要素２１に対応させてその下方に配置してある。
【００１９】
脚体４は、前記天板２の左右両端部に配置されるもので、各脚体４は、一対の角パイプ状をなす脚要素４１と、各脚要素４１同士をその上端部において連結する角パイプ状をなす横架材４２と、前記脚要素４１の下面に取り付けられたアジャスタ（図示しない）とを備えるものである。そして前記横架材４２の中央部内面に前記主フレーム３の端部が結合され、これら脚体４及び主フレーム３によって、図４に示すように、独立して自立可能な天板支持構造体７を形成している。
【００２０】
なおこのテーブル１は、前記主フレーム要素３１及び天板要素２１の数を増減させて長さ寸法を変更できるタイプのものである。
【００２１】
しかして本実施形態では、図４に示すように、天板２を前記天板支持構造体７に載置しない状態、すなわち、天板２による荷重の作用しない又は略作用しない荷重非作用状態において、前記主フレーム３における天板支持面３ａの中央部がその両端部よりも上方に膨出する膨出態様Ｐとなるように構成するとともに、前記天板２を前記天板支持構造体７に載置した荷重作用状態において、その荷重による主フレーム３の撓みにより前記天板支持面３ａが面一又は略面一である面一態様Ｑとなるように構成している。
【００２２】
本実施形態においては、前記主フレーム３を膨出態様Ｐとすべく隣り合う主フレーム要素３１間の連結部において屈曲させ、側面視、主フレーム３が部分多角形の一部をなすように構成している。
【００２３】
具体的には図５、図６、図７に示すように、前記連結部において、隣り合う主フレーム要素３１同士を連結部材５を介して連結している。
【００２４】
連結部材５は、前記主フレーム要素３１に断面輪郭形状が合致するパイプ状の外材５１と、その外材５１の内周に嵌め込まれて溶接等により接合された上方に開口するチャネル状の内材５２とを備えたものである。前記内材５２は、前記外材５１の各端面５１ａから外方に突出するようにしてあり、その厚み寸法は外材５１の厚み寸法より大きくして主フレーム要素３１同士を結合するための剛性及び強度を担保させている。前記外材５１は、その各端面に主フレーム要素３１の端面３１ａを押し当てる当たり面５１ａとしての役割を担わせたものであり、互いに背向するその前記各当たり面５１ａが下方に向かうにつれ、相寄る向きにやや傾斜するようにしてある。そして前記内材５２の突出部分を主フレーム要素３１の端部に嵌め入れるとともに、前記当たり面５１ａに主フレーム要素３１の端面３１ａを当てることによりその部分で屈曲するように構成してある。なお主フレーム要素３１の端面３１ａはその長手方向に垂直となるように設定している。また、前記内材５２の突出部分は、主フレーム要素３１の端部に少なくとも幅方向にがたなく嵌め込まれるようにしてある。
【００２５】
一方、連結部材５と主フレーム要素３１との結合は以下に説明する結合構造８を利用している。
【００２６】
すなわち、この結合構造８は、連結部材５の所定箇所Ｓ１において、その奥行き方向に対向する対向壁５３、５３間に架け渡した第１架材８１と、主フレーム要素３１の所定箇所Ｓ２において、その奥行き方向に対向する対向壁３１１、３１１間に架け渡した第２架材８２と、これら第１架材８１及び第２架材８２を互いに相寄る方向に引き寄せる引寄手段６とを備え、前記引寄手段６による引寄力により、連結部材５の当たり面５１ａと主フレーム要素３１の端面３１ａとを押圧し結合するものである。
【００２７】
第１架材８１は、円柱の一部を縦に平面で切断した形状をなし、その外周面に円柱面部８１ａと平面部８１ｂとが形成されるように構成した中実ブロック状のものである。そしてその軸に直交するめねじ孔８１ｃを前記平面部８１ｂの中央部に開口するように貫通させている。
【００２８】
第２架材８２は、前記第１架材８１と略同一形状をなすもので、前記めねじ孔８１ｃの代わりにねじ挿通孔８２ｃを設けている。
【００２９】
これら各架材８１、８２は、前記各対向壁５３、３１１に設けた貫通孔９１、９２にその両端部を支持されている。かかる貫通孔９１、９２は前記架材８１、８２を略隙間なく嵌合可能な形状をなし、前記引寄せ方向に対して各架材８１、８２の平面部８１ｂ、８２ｂが直交しかつそれらが互いに背向するように支持する。
【００３０】
前記引寄手段６は、前記ねじ挿通孔８２ｃに平面部８２ｂ側からねじＢを挿通させ、前記めねじ孔８１ｃにそのねじＢを螺合させることにより前記各架材８１、８２を引寄せ可能に構成したものである。
【００３１】
さらに本実施形態では、前記各所定箇所Ｓ１、Ｓ２を結んだラインが側面視前記当たり面５１ａと直交しないように設定し、引寄力により当たり面５１ａと端面３１ａとをスライドさせる分力が発生するようにしている。そして、そのスライド分力により前記内材５２の外周下向き面と前記主フレーム要素３１の内周上向き面とが密接し、前記主フレーム要素３１と連結部材５との上下方向の位置決め作用が営まれるように構成している。
【００３２】
また、前記ねじＢの向きは、前記引寄せ方向と合致し、その頭部が斜め下に位置するように設定しているが、このねじを締緩するためのドライバ等の冶具を挿入させるために、前記主フレーム要素３１の端部下面に下方に開口する開口部３１ｃを設けている。
【００３３】
かかるテーブル１は以下のように組み立てる。
【００３４】
まず主フレーム要素３１を連結して主フレーム３を構成するとともに、その主フレーム３の各端部に脚体４の横架材４２を取り付け、独立して自立可能な天板支持構造体７を形成する。この状態では、図４に示すように、前記主フレーム３における天板支持面３ａの中央部がその両端部よりも上方に膨出する膨出態様Ｐとなる。
【００３５】
そして、前記天板支持構造体７の上方に天板要素２１を載置し固定する。この天板要素２１には適宜時点でサイドフレーム２２及び補助フレーム２３を取り付ける。天板要素２１を載置する時、隣り合う天板要素２１間には若干の隙間が形成されるように配置する。そしてこのように全ての天板要素２１、すなわち天板２を乗せたその荷重で主フレーム３が撓み、主フレーム３の天板支持面３ａが面一又は略面一である面一態様Ｑとなり、その結果天板面２ａも平面となる。また、その際に天板要素２１間の隙間も解消し天板要素２１同士が隙間なく密着するように締結する。
【００３６】
なお、天板支持構造体７と天板要素２１との結合は、具体的には主フレーム３と補助フレーム２３とを固定することにより行う。これは、図８に示すように、前記主フレーム要素３１と連結部材５とを結合する前記結合構造８と類似の結合構造８Ａを利用して行っている。この結合構造８Ａは、主フレーム３の起立対向壁３１１、３１１間に架け渡した第１架材８１Ａと、補助フレーム２３の起立対向壁２３１、２３１間に架け渡した第２架材８２Ｂとを、ねじＢ１を利用した引寄手段６Ａにより引き寄せ、主フレーム３の上面と補助フレーム２３の下面とを押圧し結合するものである。
【００３７】
このように本実施形態によれば、主フレーム３が膨出態様Ｐから天板２の荷重を受けることによって面一態様Ｑとなるので、中間支持脚体４を設けずとも、あるいは中間支持脚体４を最小限のものとして、耐荷重性を損なうことなく、大型のテーブル１を構成できる。したがって脚体４に設けるアジャスタを最小限にでき、床の不陸が存在しても天板２のレベルだしが容易となる。また、着座位置を制限せず、外観上の設計自由度も高め得る。
【００３８】
なお、屈曲させるに際しては、主フレーム要素側の端面を傾斜させてもよい。また連結部材を介在させず主フレーム要素同士を直接的に前記結合構造等を用いて結合してもよい。その場合、いずれかの連結部材から内材を突出させるのが好ましい。さらに、膨出態様は主フレームが全体として部分円弧状をなすように湾曲させてもよいし、天板が１枚もの、主フレームが１本の主フレーム要素からなるものであっても構わない。
【００３９】
その他本発明は以上に詳述した図示例に限られず、種々の変形が可能である。
【００４０】
【発明の効果】
以上に詳述したように本発明によれば、主フレームが膨出態様から天板の荷重を受けることによって面一態様となるので、中間支持脚体を設けずとも、あるいは中間支持脚体を最小限のものとして、耐荷重性を損なうことなく大型のテーブルを構成できる。したがって脚体に設けるアジャスタを最小限にでき、床の不陸が存在しても天板のレベルだしが容易となる。また、着座位置を制限せず、外観上の設計自由度も高め得る。
【図面の簡単な説明】
【図１】本発明の一実施形態におけるテーブルを示す全体斜視図。
【図２】同実施形態におけるテーブルを示す全体側面図。
【図３】同実施形態におけるテーブルを示す全体底面図。
【図４】同実施形態における天板支持構造体を示す全体側面図。
【図５】同実施形態における連結部を示す要部分解斜視図。
【図６】同実施形態における連結部を示す要部側面図。
【図７】図３のＡ領域における内部構造を示す横断面図。
【図８】同実施形態における主フレームと補助フレームの結合構造を示す要部分解斜視図。
【符号の説明】
１・・・テーブル
２・・・天板
２１・・・天板要素
３・・・主フレーム
３ａ・・・天板支持面
３１・・・主フレーム要素
３１ａ・・・端面
４・・・脚体
５・・・連結部材
５１ａ・・・当たり面
５１・・・外材
５２・・・内材
６・・・引寄手段
Ｐ・・・膨出態様
Ｑ・・・面一態様
【図１】
2004147689.tif 000003
【図２】
2004147689.tif 000004
【図３】
2004147689.tif 000005
【図４】
2004147689.tif 000006
【図５】
2004147689.tif 000007
【図６】
2004147689.tif 000008
【図７】
2004147689.tif 000009
【図８】
2004147689.tif 000010